(57)【特許請求の範囲】
【請求項１】
生体試料中の特定成分に関する電気的データを取得する複数のバイオセンサをそれぞれの試験端が同一方向を向くように縦列に配列したベースシートと、
前記ベースシートの表面を覆い前記各バイオセンサを囲むように前記ベースシートに剥離可能に接合され前記各バイオセンサを個別に密封するカバーフィルムと
で構成されたバイオセンサシートであって、
前記各バイオセンサが、その試験端の近傍領域が自立する剛性を有し、試験端に背反する一端において、前記ベースシートの前記各バイオセンサが形成されている領域を除く他の領域と連続する舌状となるように、可撓性の前記ベースシート上に形成されたバイオセンサシート。
【請求項２】
前記カバーフィルムが、送出方向に対して４５度以下の角度で前記ベースシートに溶着された請求項１記載のバイオセンサシート。
【請求項３】
前記バイオセンサの１ユニット分ずつが交互に折り畳まれて積層された請求項１記載のバイオセンサシート。
【請求項４】
請求項１記載のバイオセンサシートを収納し前記各バイオセンサを１ユニットずつ供給するバイオセンサカートリッジであって、
センサ供給室とセンサ回収室とに隔壁により区分され、前記センサ供給室に開口するセンサ送出口と前記センサ回収室に開口するセンサ回収口とが互いに平行に形成された筐体と、
前記バイオセンサシートを前記センサ送出口と前記センサ回収口との間で前記筐体の外側を通るように保持し、長手方向に沿って順送して、未使用の前記バイオセンサを前記センサ送出口の外部へ突出させて供給するとともに、使用済みの前記バイオセンサを前記センサ回収口より前記筐体内へ回収するシート送り手段と、
前記センサ送出口の近傍の前記筐体内に配置され前記バイオセンサシートの前記カバーフィルムを剥離するフィルム剥離手段と
を有したバイオセンサカートリッジ。
【請求項５】
前記シート送り手段が、前記バイオセンサシートを巻回し前記センサ送出口に向けて送り出す供給ローラと、前記センサ回収口を通った前記バイオセンサシートを巻き取る巻き取りローラとを有した請求項４記載のバイオセンサカートリッジ。
【請求項６】
前記シート送り手段が、前記センサ回収口の下流側に配置されて前記バイオセンサシートを挟持し、前記センサ送出口の上流側に積層された前記バイオセンサシートを引き込んで下流側に積層する引き込み手段を有した請求項４記載のバイオセンサカートリッジ。
【請求項７】
前記バイオセンサシートの周囲の前記センサ送出口を封止する封止部材を有した請求項４記載のバイオセンサカートリッジ。
【請求項８】
前記筐体内に乾燥剤を有した請求項４記載のバイオセンサカートリッジ。
【請求項９】
前記センサ送出口から前記センサ回収口にわたる回収経路を構成する壁体を、前記バイオセンサシートに舌状に形成された前記バイオセンサを下流側へ折り曲げ可能な間隙を設けて前記筐体の外側に配置した請求項４記載のバイオセンサカートリッジ。
【請求項１０】
前記バイオセンサシートを送り出す前記供給ローラと、前記カバーフィルムを巻き取るフィルム巻き取りローラと、使用済みの前記バイオセンサシートを巻き取る前記巻き取りローラとが、その回転軸に対して滑りクラッチを持つように構成された請求項５記載のバイオセンサカートリッジ。
【請求項１１】
請求項４記載のバイオセンサカートリッジを装着し、このバイオセンサカートリッジの前記バイオセンサシートの送出を駆動するとともに、前記各バイオセンサで取得された電気的データを処理し処理結果を出力するバイオセンサ分与装置であって、
装置本体の外周に、前記バイオセンサカートリッジをそのセンサ送出口が形成された函体の第一の側面とそれに隣接した第二の側面とが露出するように収容し、前記第一の側面と前記第二の側面とをこれらの周囲の外側面とほぼ面一に配置する凹部を有したバイオセンサ分与装置。
【請求項１２】
前記バイオセンサカートリッジの前記シート送り手段に接続する手動可能な作動アクチュエータを、前記バイオセンサカートリッジの函体の前記第一の側面および前記第二の側面と交わる方向の装置本体の外側面に配置した請求項１１記載のバイオセンサ分与装置。
【発明の詳細な説明】
【０００１】
【発明の属する技術分野】
本発明は、生体試料中の特定成分を高精度で、迅速かつ容易に定量するためのバイオセンサシート、バイオセンサカートリッジ、およびバイオセンサ分与装置に関する。
【０００２】
【従来の技術】
近年、酵素の特異的触媒作用を利用した種々のバイオセンサが開発され、臨床分野への応用が試みられており、生体試料中の特定成分を迅速にかつ精度よく測定できるバイオセンサが実用化されている。
【０００３】
グルコースセンサを例にとると、糖尿病患者の増加が著しい今日、血糖値を容易に測定し管理できるように、従来のように血液を遠心して血しょうを分離する煩雑な手順を要さず全血で測定できるセンサが要望されるなか、特開昭６１−２９４３５１号公報などで提案がなされている。この種のセンサは、専用の測定器にセットすると、電極系へ所定の電圧が供給され電極間に流れる電流が計測され、その電流値をもとに試料液中の基質濃度が計算され、濃度値として表示部に示されるようになっている。
【０００４】
特開平８ー２６２０２６号公報には、複数個のバイオセンサをセットしたバイオセンサカートリッジを装填し、ノブ操作によりバイオセンサを１個ずつ試験位置に配置するようにしたバイオセンサ分与装置が記載されている。このようなバイオセンサ分与装置の開発によって、センサを測定器本体に取り付ける際に誤って落としたり、逆方向に挿入したり、さらには逆方向に挿入したままで計測してしまうなどの、高齢者が多い糖尿病患者等の使用者に起こりがちな不具合が改善されてきている。
【０００５】
図６〜図７に示すバイオセンサ分与装置３０では、上部ケース３１と下部ケース３２とからなるハウジング３３の中に、複数の血中グルコースセンサ３４をセンサキャビティー３５内に包有したバイオセンサカートリッジ３６が装填されている。ハウジング３３の後部３３ａにはデータポートコネクタ（図示せず）が設けられていて、このデータポートコネクタを介して、ハウジング３３内のプリント配線基板上の電子部品にデータを入力したり、プリント配線基板の電気回路に蓄積されたデータを監視用機器やコンピュータへ取り出すようになっている。
【０００６】
また、上部ケース３１に配置された滑動アクチュエータ（図示せず）を待機位置から試験位置へと移動させることにより、センサキャビティー３５の一つからセンサ３４が放出され、センサ３４上の接点がハウジング３３内のプリント配線基板のマイクロプロセッサや他のデータ処理回路に電極接点部３７において結合されるとともに、センサ３４の試験端がハウジング３３の試験端３３ｂから突出されるようになっている。
【０００７】
したがって、センサ３４の試験端を血液試料に挿入することで、血液試料のデータを得、処理することができる。処理データはディスプレイユニットの表示画面３８に表示されたり、蓄積される。試験終了後に滑動アクチュエータを待機位置へと移動させると、使用済みのセンサ３４はハウジング３３から排出され、バイオセンサカートリッジ３６がラッチ３９により回転し、センサキャビティー３５から新たなセンサ３４が放出されて試験位置に配置される。
【０００８】
【発明が解決しようとする課題】
しかしながら、上記したような従来のバイオセンサ装置では、試験終了後に血液などの生体試料の付着したセンサ３４を剥き出しのまま廃棄しなければならず衛生的に問題があり、また測定のたびに廃棄操作を要するため使用者にとって非常に不便であった。
本発明は上記問題を解決するもので、バイオセンサを１個ずつ試験位置に配置できるとともに、使用済みのバイオセンサを衛生的に、かつ容易に廃棄できるようにすることを目的とするものである。
【０００９】
【課題を解決するための手段】
上記課題を解決するために本発明は、バイオセンサを複数個縦列に配置したバイオセンサシート、このバイオセンサシートを筐体内に収納したバイオセンサカートリッジ、このセンサカートリッジを装填するバイオセンサ分与装置を構成することにより、分与装置のレバーやダイヤルなどによる簡易な手動操作のみで、カートリッジ内のバイオセンサを送出し測定位置にセットしたり、測定終了後のバイオセンサをカートリッジ内に回収できるようにしたものである。これにより、複数回の生体値測定を簡便容易に行う事が可能になった。
【００１０】
【発明の実施の形態】
請求項１記載の本発明は、生体試料中の特定成分に関する電気的データを取得する複数のバイオセンサをそれぞれの試験端が同一方向を向くように縦列に配列したベースシートと、前記ベースシートの表面を覆い各バイオセンサを囲むようにベースシートに剥離可能に接合され各バイオセンサを個別に密封するカバーフィルムとで構成されたバイオセンサシートであり、各バイオセンサの試験端が先行するように長手方向に沿って送り出しつつ、カバーフィルムを剥離することで、バイオセンサを順次に試験位置に配置することが可能になる。
【００１１】
さらに、請求項１記載の本発明は、各バイオセンサが、その試験端の近傍領域が自立する剛性を有し、試験端に背反する一端において、前記ベースシートの前記各バイオセンサが形成されている領域を除く他の領域と連続する舌状となるように、可撓性のベースシート上に形成されたことを特徴とするもので、バイオセンサシートを何らかの開口部を通して送り出した時に、バイオセンサが開口部より突き出すことになり、試験端へ生体試料を点着する操作を容易に行える。バイオセンサをベースシートと一体に形成した場合には、個々のバイオセンサが脱落するのを防止できる。
【００１２】
請求項２記載の本発明は、請求項１記載のバイオセンサシートにおいて、カバーフィルムが、送出方向に対して４５度以下の角度でベースシートに溶着されたことを特徴とするもので、バイオセンサシートの送出動作に伴って剥離する際のフィルムの剥離抵抗を低減できる。
【００１３】
請求項３記載の本発明は、請求項１記載のバイオセンサシートにおいて、バイオセンサの１ユニット分ずつが交互に折り畳まれて積層されたことを特徴とするもので、保存形態が一定であるため、回収後も自動的に積層させることが可能である。
【００１４】
請求項４記載の本発明は、請求項１記載のバイオセンサシートを収納しバイオセンサを１ユニットずつ供給するバイオセンサカートリッジであって、センサ供給室とセンサ回収室とに隔壁により区分され、センサ供給室に開口するセンサ送出口とセンサ回収室に開口するセンサ回収口とが互いに平行に形成された筐体と、前記バイオセンサシートを前記センサ送出口とセンサ回収口との間で筐体の外側を通るように保持し、長手方向に沿って順送して、未使用のバイオセンサをセンサ送出口の外部へ突出させて供給するとともに、使用済みのバイオセンサをセンサ回収口より筐体内へ回収するシート送り手段と、前記センサ送出口の近傍の筐体内に配置されバイオセンサシートのカバーフィルムを剥離するフィルム剥離手段とを有したことを特徴とするもので、バイオセンサを順次に供給できるとともに、使用済みのバイオセンサを清潔にセンサ回収室内に回収できる。
【００１５】
請求項５記載の本発明は、請求項４記載のバイオセンサカートリッジにおいて、シート送り手段が、バイオセンサシートを巻回しセンサ送出口に向けて送り出す供給ローラと、センサ回収口を通ったバイオセンサシートを巻き取る巻き取りローラとを有したことを特徴とするもので、バイオセンサの送り出しを容易に行える。
【００１６】
請求項６記載の本発明は、請求項４記載のバイオセンサカートリッジにおいて、シート送り手段が、センサ回収口の下流側に配置されてバイオセンサシートを挟持し、センサ送出口の上流側に積層されたバイオセンサシートを引き込んで下流側に積層する引き込み手段を有したことを特徴とするもので、バイオセンサを折り畳みながら引き込むので、引き込み手段にかかる抵抗の変化をあまり考慮することなく設計できる。
【００１７】
請求項７記載の本発明は、請求項４記載のバイオセンサカートリッジにおいて、バイオセンサシートの周囲のセンサ送出口を封止する封止部材を有したことを特徴とするもので、外気の流通を防止することができ、各バイオセンサを一定の環境下に維持できる。
【００１８】
請求項８記載の本発明は、請求項４記載のバイオセンサカートリッジにおいて、筐体内に乾燥剤を有したことを特徴とするもので、各バイオセンサに使用される試薬物質の特性劣化を防止し、性能を維持保証できる。
【００１９】
請求項９記載の本発明は、請求項４記載のバイオセンサカートリッジにおいて、センサ送出口からセンサ回収口にわたる回収経路を構成する壁体を、バイオセンサシートに舌状に形成されたバイオセンサを下流側へ折り曲げ可能な間隙を設けて筐体の外側に配置したことを特徴とするもので、使用済みのバイオセンサは生体試料の付着部分を内側にして折り畳まれながら回収経路に入るので、測定者に生体試料が付着するのを防止できる。
【００２０】
請求項１０記載の本発明は、請求項５記載のバイオセンサカートリッジにおいて、バイオセンサシートを送り出す供給ローラと、カバーフィルムを巻き取るフィルム巻き取りローラと、使用済みのバイオセンサシートを巻き取る巻き取りローラが、その回転軸に対して滑りクラッチを持つように構成されたことを特徴とするもので、バイオセンサの使用数によって巻き径が変化することに起因するバイオセンサの送り量の変化を吸収できる。
【００２１】
請求項１１記載の本発明は、請求項４記載のバイオセンサカートリッジを装着し、シート送り手段を介してバイオセンサシートの送出を駆動するとともに、各バイオセンサで取得された電気的データを処理し処理結果を出力するバイオセンサ分与装置であって、装置本体の外周に、前記バイオセンサカートリッジをそのセンサ送出口が形成された函体の第一の側面とそれに隣接した第二の側面とが露出するように収容し、前記第一の側面と第二の側面とをこれらの周囲の外側面とほぼ面一に配置する凹部を有したことを特徴とするもので、生体試料からの生体データの複数回の測定を簡便、容易にかつ、連続的に行うことが可能である。センサ送出口が装置本体の端部にあるので、バイオセンサへの生体試料の点着操作も容易である。
【００２２】
請求項１２記載の本発明は、請求項１１記載のバイオセンサ分与装置において、バイオセンサカートリッジのシート送り手段に接続する手動可能な作動アクチュエータを、バイオセンサカートリッジの函体の第一の側面および第二の側面と交わる方向の装置本体の外側面に配置したことを特徴とするもので、測定者が操作時にセンサ供給口を覆うことがないので、バイオセンサの供給動作は妨げられない。また、バイオセンサカートリッジの函体の第一の側面に沿う方向の装置本体の外側面とそれに背反する外側面のいずれにも、測定値の表示手段を設けることが可能となる。
【００２３】
以下、本発明の実施の形態を図面に基いて説明する。
（実施の形態１）
図１はバイオセンサカートリッジを備えたバイオセンサ分与装置の外観斜視図図２はバイオセンサシートの（ａ）分解斜視図、（ｂ）断面図、（ｃ）平面図、図３は図１のバイオセンサカートリッジのＡ−Ａ断面図、図４は図１のバイオセンサ分与装置の供給部近傍箇所の断面図である。
【００２４】
このバイオセンサ分与装置１は血中グルコースに係るものであり、ほぼ矩形箱状の本体装置２とバイオセンサカートリッジ３とで構成されていて、バイオセンサ４を順次に試験位置に配置する機能と、バイオセンサ４を通じて血中グルコース濃度のデータを採取する機能とを有している。
【００２５】
本体装置２には、その長手方向に沿う一端（以下、前端２ａという）に、バイオセンサカートリッジ３を収容するための凹部５が形成され、他端（以下、後端２ｂという）寄りの上面に、バイオセンサカートリッジ３に関する情報と実施された試験に関する情報とを表示する液晶ディスプレイユニットの表示画面６が配置されている。凹部５は、バイオセンサカートリッジ３の外形に相応する矩形であって、前端側が開放するとともに上向きに開放しており、凹部５内に収容されたバイオセンサカートリッジ３がその周囲の本体装置２の上面および前端面と面一をなすように構成されている。
【００２６】
凹部５の上向きの底面には２個の駆動ローラ７，８と電極アーム９とが立設されている。凹部５の近傍の本体装置２の上面には、凹部５の内側面に設けられたラッチ（図示せず）をバイオセンサカートリッジ３のラッチ凹部３ａに係合させるためのボタン１０が配置され、本体装置２の上面および前端面と交わる方向の外側面には、駆動ローラ７，８に連結した回転盤状の（あるいはスライド自在な）作動アクチュエータ１１の操作部が露出している。
【００２７】
電極アーム９は、本体装置２の内部のプリント配線基板上に形成されたマイクロプロセッサその他のデータ処理回路（図示せず）に接続しており、このデータ処理回路に、本体装置２の後端２ｂに設けられた手動ボタンやデータポートコネクタ（図示せず）が接続している。これにより、手動ボタンからデータ処理回路に情報を入力することで、試験操作の際にバイオセンサ４が発生するデータを取得し、実施されている試験に関する情報を処理し蓄積し、蓄積された情報を表示画面６に表示したり、データポートコネクタを介して装置外部の分析用機器やコンピュータ機器に出力可能である。
【００２８】
バイオセンサ４は、図２に示すように、酵素を含んだ酵素反応部４ａと電極接点部４ｂとを有したものであって、ポリエチレンテレフタレート（PET）などの樹脂シート１２にて、酵素反応部４ａと電極接点部４ｂとが長手方向に沿ってこの順に前後に並ぶように、複数個、縦列に形成されている。樹脂シート１２はその下面においてほぼ同一幅のバイオセンサベース１３に接合されていて、バイオセンサシート１４を構成している。このバイオセンサシート１４の上面はラミネートフィルム１５で覆われている。
【００２９】
ただし、樹脂シート１２においては、酵素反応部４ａのやや前方から電極接点部４ｂに至るバイオセンサ４の領域が、前端側が円弧状をなすＵ型溝４ｃにより舌状に分離されていて、バイオセンサ４以外の領域でバイオセンサベース１３に密着接合されている。このため、個々のバイオセンサ４は脱落することなく、バイオセンサシート１４が順送されるに従ってバイオセンサカートリッジ３の試験端３ｂへ向かって前進していく。バイオセンサ４の前端の点着部４ｄから酵素反応部４ａまでは生体試料を吸い上げる毛細管が延びている。
【００３０】
またラミネートフィルム１５は、バイオセンサシート１４に対して、各バイオセンサ４の点着部４ａの前方と電極接点部４ｂの後方とで、４５度以下のＶ型に溶着されるとともに、ラミネートフィルム１５自体の長手方向の縁部に沿って連続的に溶着されていて、各バイオセンサ４は互いに隔離されて密閉されている。１５ａは溶着ラインである。このため、封入された各バイオセンサ４は外気の出入りがなく乾燥状態に保たれることになり、１つのバイオセンサ４が開放されても他のバイオセンサ４に影響することがない。
【００３１】
バイオセンサカートリッジ３は、図３に示すように、函体１６の内部が隔壁１７によりセンサ供給室１８とセンサ回収室１９とに区分されている。函体１６には、隔壁１７に沿うようにセンサ供給室１８に開口するセンサ供給口２０と、このセンサ供給口２０と平行をなすようにセンサ回収室１９に開口するセンサ回収口２１とが形成されている。函体１６の外方には、センサ供給口２０からセンサ回収口２１までの函体１６の外側面を所定の間隙２２ａをおいて覆うセンサ案内壁２２が配置されている。
【００３２】
センサ供給室１８には、ラミネートフィルム１５で覆われたバイオセンサシート１４を巻回したセンサ供給ローラ２３と、ラミネートフィルム１５をバイオセンサシート１４から剥離する剥離ローラ２４と、剥離されたラミネートフィルム１５を巻き取るフィルム巻き取りローラ２５と、センサ供給ローラ２３の回転をフィルム巻き取りローラ２５に伝えるための伝動ローラ２６とが配置されている。センサ供給ローラ２３とフィルム巻き取りローラ２５とは回転軸がギアなどにより係合されて回転するようになっていて、回転軸に対して、巻き取り部が滑りクラッチを挟みこみ、滑り対偶となっている。センサ供給口２０の近傍には、センサ供給口２０を覆い得る可撓性の防湿部材２７が配置され、センサ供給ローラ２３の近傍には乾燥剤２８が配置されている。
【００３３】
センサ回収室１９には、センサ供給ローラ２３，フィルム巻き取りローラ２５と連動してバイオセンサシート１４を巻き取るセンサ回収ローラ２９と、センサ回収口２１の近傍でバイオセンサシート１４を挟持しセンサ回収ローラ２９へと案内する１対のガイドローラ３０とが配置されている。
【００３４】
なお、センサ供給口２０の近傍には本体装置２の電極アーム９が進入可能な開口（図示せず）が形成されており、センサ供給ローラ２３には本体装置２の駆動ローラ７が嵌入するようになっている。また、初期状態において、バイオセンサシート１４の前端部はラミネートフィルム１５が剥離されてセンサ回収ローラ２９に巻きつけられていて、ラミネートフィルム１５の前端部は電極アーム９の近傍で剥離ローラ２４により隔壁１７から離間する方向に案内されフィルム巻き取りローラ２５に巻きつけられている。
【００３５】
以下、このバイオセンサ分与装置１の動作を説明する。
バイオセンサカートリッジ３を本体装置２の凹部５に装着する時には、凹部５の内側面のラッチ（上掲）をボタン１０により退避させた状態で、函体１６を上方よりセットする。これにより、凹部５の底面の駆動ローラ７，８と電極アーム９とがバイオセンサカートリッジ３の函体１６の内部に進入し、駆動ローラ７，８がそれぞれセンサ供給ローラ２３、センサ回収ローラ２９に嵌入する。函体１６が凹部５の底面に到達したら、凹部５の内側面のラッチがバネ等の作用で自動的に（あるいはボタン１０の操作により）函体１６のラッチ凹部３ａに係合し、バイオセンサカートリッジ３を固定する。
【００３６】
試験に際してはまず、作動アクチュエータ１１を回転（スライド式の場合は本体装置２の前端２ａ側に作動）させる。これにより本体装置２がその試験モードに設定され、駆動ローラ７，８が予め決められた量だけ回転し、それに伴われて回転するセンサ供給室１８内のセンサ供給ローラ２３がバイオセンサシート１４を隔壁１７に沿って１ユニット分だけ送り出す。この送り出されているバイオセンサシート１４のラミネートフィルム１５を電極アーム９の直前で剥離ローラ２４が変向させて剥離し、それにより露出したバイオセンサ４の点着部４ｄがセンサ供給口２０を通じて試験端３ｂから突き出される。剥離されたラミネートフィルム１５は、センサ供給ローラ２３に伴われて回転するフィルム巻き取りローラ２５が巻き取る。
【００３７】
バイオセンサ４が試験端３ｂから所定長さだけ突き出る試験位置に配置されたら、バイオセンサ４の電極接点部４ｂは電極アーム９に接触した状態となり、本体装置２内に配置されたプリント配線基板の電子回路に電気的に結合する。同時に、液晶ディスプレイユニットの表示画面６が表示モードへと賦活される。この表示画面６に関する上方からの視認は、作動アクチュエータ１１を操作する際も妨げられることはない。
【００３８】
この状態で、バイオセンサカートリッジ３の試験端３ｂ（センサ供給口２０）から突き出ているバイオセンサ４の点着部４ｄに、例えば穿刺した指に蓄積された血液を接触させる。これにより、点着部４ｄの血液が毛管作用により吸い込まれて充分量にて酵素反応部４ａに導かれ、血液中の試験対象成分たるグルコースが酵素反応部４ａ内の試薬と化学的に反応する。その結果、血中グルコースレベルに対応する電気信号が電極接点部４ｂ、電極アーム９を通して本体装置２内のプリント配線基板の電子回路に取り出されてデータ処理され、血中グルコースレベルとして表示画面６に表示される。
【００３９】
試験が完了し、情報の取得やデータの送出が完了したら、作動アクチュエータ１１を試験前と同様に手動で操作する。これにより、センサ供給ローラ２３、センサ回収ローラ２９が回転してバイオセンサシート１４が送り出される。センサ供給口２０より突き出ていた使用済みのバイオセンサ４は、函体１６とセンサ案内壁２２との間隙２２ａに引き込まれる際に下流側へ折り返されることになり、血液が付着している面が内側に配置された状態でセンサ回収室１９へ回収される。
【００４０】
その際に、バイオセンサシート１４は作動アクチュエータ１１の操作で一定量ずつ送り出されるようになっており（図示を省略したラッチなどにより）、使用済みのバイオセンサ４がセンサ回収室１９へ回収され、かつ未使用のバイオセンサ４がセンサ供給室１８内に留まっている時点で一旦送り停止される。それに伴って、本体装置２はオフ又は待機の状態となる。引き続き試験を実施する場合は、未使用のバイオセンサ４が試験位置に配置されるまで作動アクチュエータ１１を操作すればよい。使用済みバイオセンサ４や次に使用するバイオセンサ４の位置は表示画面６で確認可能である。
【００４１】
このようにして、作動アクチュエータ１１を手動操作するだけで、函体１６内のバイオセンサ４を順次に試験位置に配置でき、同時に、使用済みのバイオセンサ４を函体１６内に回収できる。よって、複数回の試験も簡便容易に行えるのみならず、使用者が血液で手を汚すなどの、衛生面での余計な心配を低減できる。バイオセンサシート１４の全てのバイオセンサ４が使用済みになれば、バイオセンサカートリッジ２の全体を廃棄すればよい。バイオセンサ分与装置自体は比較的コンパクトに構成できるので、使用者が携帯することも可能である。
【００４２】
図５に、上記したセンサ供給ローラ２３やセンサ回収ローラ２９などを用いないバイオセンサカートリッジ３を示す。
このセンサカートリッジ３では、バイオセンサ４の１ユニット分ずつが交互に折り畳まれ積層されたバイオセンサシート１４が用いられ、センサ回収室１９に、バイオセンサシート１４を挟持して引き込むセンサ引き込みローラ３１とそれに平行な対向部材３２とが配置されている。
【００４３】
これにより、センサ引き込みローラ３１を動作させることで、使用済みのバイオセンサ４をガイドローラ３０で案内して１ユニットずつ引き込み、折り畳んで収納し、それに伴ってセンサ供給室１８で新たなバイオセンサ４を１ユニットずつ送り出すことができる。
【００４４】
なお、上記したバイオセンサシート１４では、各バイオセンサ４の点着部４ｄがセンサ供給口２０から突き出るようにＵ型溝4ｃを形成したが、点着部４ｄがセンサ供給口２０の外側に配置されさえすれば生体試料を点着可能なので、バイオセンサシート１４を、Ｕ型溝4ｃを持たないテープ状のものとしてもよい。また、血中グルコースを試験するものとして説明したが、試薬を用いて分析できる他の生体試料用に構成することも可能である。実際には、生体試料以外のいかなる種類の化学的流体に関しても適用可能である。
【００４５】
【発明の効果】
以上のように本発明によれば、バイオセンサを複数個縦列に配置し密封したバイオセンサシートを筐体内に収納してバイオセンサカートリッジを構成し、そのセンサカートリッジを、測定機能等を持った本体装置に装填するようにしたため、簡易な手動操作で、筐体内のバイオセンサを送出して試験位置に配置し、試験データを採取し、使用済みのバイオセンサを筐体内に回収することができる。これにより、複数回の生体値測定を簡便容易に行うことが可能になり、バイオセンサをセットする際や廃棄する際の煩わしさを従来より低減できる。
【図面の簡単な説明】
【図１】本発明の一実施形態におけるバイオセンサカートリッジを備えたバイオセンサ分与装置の外観斜視図
【図２】図１のバイオセンサカートリッジに収納されるバイオセンサシートの（ａ）分解斜視図、（ｂ）断面図、（ｃ）平面図
【図３】図１のバイオセンサカートリッジのＡ−Ａ断面図
【図４】図１のバイオセンサ分与装置の供給部近傍箇所の断面図
【図５】図１のバイオセンサ分与装置に装填可能な他のバイオセンサカートリッジの断面図
【図６】従来のバイオセンサ分与装置の外観斜視図
【図７】図６のバイオセンサ分与装置の内部を示す斜視図
【符号の説明】
１    バイオセンサ分与装置
２    本体装置
３    バイオセンサカートリッジ
４    バイオセンサ
4c    Ｕ型溝
4d    点着部
５    凹部
11    作動アクチュエータ
12    樹脂シート
13    バイオセンサベース
14    バイオセンサシート
15    ラミネートフィルム
15a   溶着ライン
16    函体
17    隔壁
18    センサ供給室
19    センサ回収室
22    センサ案内壁
23    センサ供給ローラ
24    剥離ローラ
25    フィルム巻取りローラ
27    防湿部材
28    乾燥剤
29    センサ回収ローラ
31    センサ引き込みローラ
32    対向部材
【図１】
0004522014.tif 000002
【図２】
0004522014.tif 000003
【図３】
0004522014.tif 000004
【図４】
0004522014.tif 000005
【図５】
0004522014.tif 000006
【図６】
0004522014.tif 000007
【図７】
0004522014.tif 000008